(57)【要約】【課題】  インターレース信号による通常放送のみの映像と該映像にデータ情報が重畳された映像の両者に適した画面表示が可能なデジタル映像表示装置を得ることを目的とする。【解決手段】  デジタル映像表示装置１０を、インターレース信号による通常放送の映像にデータ情報が重畳されているか否かを通知する通知手段すなわちユニット制御部２１及び重畳部２３と、前記通知手段からの情報に基づいて、前記データ情報が重畳されている場合は３次元ＩＰ変換を行い、前記データ情報が重畳されていない場合は、現フィールドの信号のみを用いてＩＰ変換を行うＩＰ変換部３２を有する映像処理手段３０と、を備えてなるようにした。【選択図】        図１
2008199187.tif 000002
【特許請求の範囲】
【請求項１】
インターレース信号による通常放送の映像にデータ情報が重畳されているか否かを通知する通知手段と、
前記通知手段からの情報に基づいて、前記データ情報が重畳されている場合は３次元ＩＰ変換を行い、前記データ情報が重畳されていない場合は、現フィールドの信号のみを用いてＩＰ変換を行うＩＰ変換部を有する映像処理手段と、
を備えてなるデジタル映像表示装置。
【請求項２】
前記通知手段は、前記通常放送の映像に前記データ情報を重畳する重畳手段から映像信号が出力されているか否かによって前記通常放送の映像にデータ情報が重畳されているか否かを通知する、
ことを特徴とする請求項１に記載のデジタル映像表示装置。
【請求項３】
前記通知手段は、前記通常放送の表示領域の表示画面全体に対する表示割合を算出し、前記表示割合と所定の閾値とを比較して、
前記表示割合が前記閾値以上の場合は前記データ情報が重畳されていないと通知し、前記表示割合が前記閾値未満の場合は前記データ情報が重畳されていると通知する、ことを特徴とする請求項１又は請求項２に記載のデジタル映像表示装置。
【請求項４】
前記インターレース信号が１０８０ｉ信号である
ことを特徴とする請求項１ないし請求項３のいずれかに記載のデジタル映像表示装置。
【請求項５】
インターレース信号による通常放送の映像にデータ情報が重畳されているか否かを通知する通知手段と、
前記通知手段からの情報に基づいて、前記データ情報が重畳されている場合は変換処理をせず、前記データ情報が重畳されていない場合は、現フィールドの信号のみを用いてＩＰ変換を行うＩＰ変換部を有する映像処理手段と、
を備えてなるデジタル映像表示装置。
【発明の詳細な説明】
【技術分野】
【０００１】
この発明は、デジタル放送を受信して映像を表示するデジタル映像表示装置に関するものである。
【背景技術】
【０００２】
ＤＴＶ（Digital Television）等のデジタル映像表示装置が受信する放送信号には、２つの連続するフィールドで１枚の映像を構成するインターレース信号による放送信号と、１つのフィールドで１枚の映像を構成するプログレッシブ信号による放送信号がある。そのため、プログレッシブ方式のデジタル映像表示装置がインターレース信号による放送信号を受信した場合、インターレース信号の現フィールドのみを使用して映像信号を生成するか、あるいは、１フィールド遅延させた信号と現フィールドの信号を両方使用して映像信号を生成する等の信号の変換処理を行う必要がある。１フィールド遅延させた信号と現フィールドの信号を両方使用する方法では解像度が高くなるが、遅延した信号を使用するために、動きがある映像には不向きである。そこで、受信した放送信号がインターレース信号である場合には、映像の動き情報によって、現フィールドの信号のみを使用するか、１フィールド遅延させた信号と現フィールドの信号を両方使用するかを変更するインターレース／プログレッシブ変換（３次元ＩＰ変換）を行うデジタル映像表示装置が提案されている。（例えば特許文献１参照。）
【０００３】
【特許文献１】特開２００１−３２０６７８号公報（段落０００２、第６図）
【発明の開示】
【発明が解決しようとする課題】
【０００４】
上記のようにインターレース信号が入力されると一義的に３次元ＩＰ変換を実行するデジタル映像表示装置では、データや番組表等のデータ情報が重畳されている映像に対しては、主に静止画で構成されるデータ情報を高解像度で表示できるという利点があった。しかし、動画で構成される通常放送の映像のみを表示する場合でも、部分的に静止画とみなされることがある。例えば撮像対象が静止した状態からカメラをパンさせた場合に、カメラが静止しているときの映像は静止画と判定されて解像度感が高くなるが、カメラがパンをはじめた瞬間に、動画と判定され、急に解像度感が低下したように感じられる。また、画面の中の一部に動きがあるような映像の場合、動きがある部分と無い部分で異なった信号処理がなされ、動きがある部分と動きがない部分の境界に解像度感の差が生じ、違和感のある映像となる。つまり、通常放送の映像のみを表示する場合には３次元ＩＰ変換処理は適さないという問題があった。
【０００５】
この発明は、上記のような問題点を解決するためになされたものであり、インターレース信号による通常放送のみの映像と該映像にデータ情報が重畳された映像の両者に適した画面表示が可能なデジタル映像表示装置を得ることを目的とする。
【課題を解決するための手段】
【０００６】
この発明に係わるデジタル映像表示装置は、インターレース信号による通常放送の映像にデータ情報が重畳されているか否かを通知する通知手段と、前記通知手段からの情報に基づいて、前記データ情報が重畳されている場合は３次元ＩＰ変換を行い、前記データ情報が重畳されていない場合は、現フィールドの信号のみを用いてＩＰ変換を行うＩＰ変換部を有する映像処理手段と、を備えたものである。
【発明の効果】
【０００７】
この発明によれば、インターレース信号による通常放送の映像のみか、該通常放送の映像にデータ情報が重畳されているか否かによってＩＰ変換方法を変更することにより、通常放送のみの映像とデータ情報が重畳された映像の両者に適した画面表示が可能なデジタル映像表示装置を得ることができる。
【発明を実施するための最良の形態】
【０００８】
実施の形態１．
図１〜３は、本発明の実施の形態１におけるデジタル映像表示装置を示したもので、図１（ａ）はその構成を示すブロック図、図１（ｂ）は図１（ａ）の部分構成を示すブロック図、図２はその動作を示すフローチャート、図３は画面表示を示すイメージ図である。図において、液晶テレビ１０は、デジタル放送ユニット２０と、映像処理手段３０と、制御部４０と、液晶モジュール５０とを備えている。
【０００９】
デジタル放送ユニット２０は、地上デジタルおよび、ＢＳデジタル等のデジタル放送信号Ｖｄを受信し、受信したデジタル放送信号Ｖｄを４８０ｉ、４８０ｐ、１０８０ｉ、７２０ｐ等の映像信号Ｖｒにデコードして映像処理手段３０に出力する受信手段として機能する。また、デジタル放送信号Ｖｄ中に挿入されている４８０ｉ等の映像信号の種類（映像信号フォーマットと称する）を判定するためのフォーマット信号Ｓｆやデータ放送や番組表等を通常放送の映像に重畳しているか否かを示す通知信号Ｓｉを制御部４０に出力する。制御部４０は、デジタル放送ユニット２０が出力する映像信号Ｖｒの変換方法を受信したフォーマット信号Ｓｆ及び通知信号Ｓｉに基づいて決定し、決定した信号変換方法を実行するように映像処理手段３０に制御信号Ｓｃを出力する。映像処理手段３０は、受信した映像信号Ｖｒを制御信号Ｓｃにより決定された信号変換方法で信号変換し、変換した映像信号Ｖｐを液晶モジュール５０に出力する。液晶モジュール５０は、入力された映像信号Ｖｐに基づいて映像を表示する。
【００１０】
さらに、詳細に説明すると、デジタル放送ユニット２０は、デジタル放送信号Ｖｄを受信すると、受信信号Ｖｄをデコードして図１（ｂ）に示すように通常放送の映像や、データ放送、番組表等のデータ情報を復元するとともに、フォーマット情報や災害時の指令等の抽出を行い、抽出したフォーマット情報や指令等をユニット制御部２１に出力する。ユニット制御部２１は、後述する制御部４０からの要求信号Ｓｄや放送信号Ｖｄに含まれる指令により、通常放送の映像にデータ情報（復元されたデータ情報の内のどれだけのデータ情報）を重畳するか否かを決定する。そして、その決定に基づいて、通常放送の映像やデータ情報の表示領域や大きさを規定するスケーリング部２２やデータ情報の重畳を行う重畳部２３の処理等を制御する。つまり、デジタル放送ユニット２０のスケーリング部２２や重畳部２３はユニット制御部２１とともに重畳手段として機能する。これにより、デジタル放送信号Ｖｄから通常放送や通常放送に種々のデータ情報が重畳された映像信号Ｖｒが生成される。
【００１１】
さらにユニット制御部２１は、抽出したフォーマット情報からフォーマット信号Ｓｆを生成する。そして、重畳されるべきデータ情報が生成され、実際に通常放送の映像に重畳データ情報が重畳された状態の映像信号Ｖｒが重畳手段から出力されているか否かによってデータ情報が重畳されているか否かを示す通知信号Ｓｉを生成し、制御部４０に出力する。つまり、デジタル放送ユニット２０のユニット制御部２１は、重畳部２３とともに通知信号Ｓｉを通知するための通知手段として機能する。通知信号Ｓｉとしては、例えば、データ情報を重畳している映像信号Ｖｒを出力している場合にはＨｉｇｈ、通常放送の映像のみの映像信号Ｖｒを出力している場合にはＬｏｗのレベルとなることで重畳しているか否かを通知できる。
【００１２】
制御部４０は、デジタル放送ユニット２０に対し、チャンネル選局等を要求する要求信号Ｓｄを出力するとともに、デジタル放送ユニット２０から出力されたフォーマット信号Ｓｆ及び通知信号Ｓｉに基づいて、信号の処理方法を決定する。そして、決定した処理方法を指示する制御信号Ｓｃを映像処理手段３０に出力する。なお、要求信号Ｓｄには、ユーザの操作に基づいて、デジタル放送ユニット２０に対し、データ情報を通常放送の映像に重畳するように要求する指令を含む場合がある。
【００１３】
映像処理手段３０は、ＩＰ変換部Ａ３２、及びスケーリング部３３を備えており、デジタル放送ユニット２０から出力された映像信号Ｖｒを液晶モジュール５０に適合した映像信号Ｖｐに変換し、液晶モジュール５０に出力する。映像処理手段３０のＩＰ変換部Ａ３２は、映像信号ＶｒをＡ：そのまま出力する、Ｂ：３次元ＩＰ変換する、Ｃ：現フィールドのみを使用してインターレース／プログレッシブ変換する、という複数の変換方法を有す。そして、制御部４０の指示により映像信号Ｖｒを複数の変換方法の中から決定された変換方法により変換した映像信号Ｖｔをスケーリング部３３に出力する。スケーリング部３３は、ＩＰ変換部Ａ３２から出力された映像信号Ｖｔを液晶モジュール５０のパネル解像度に適合するように拡大および縮小の処理を行った映像信号Ｖｐを液晶モジュール５０に出力する。また、映像処理手段３０は、液晶モジュール５０へのクロックや映像領域信号等のタイミング信号Ｓｅを生成する図示しない信号生成部を有し、生成したタイミング信号Ｓｅを映像信号Ｖｐとともに液晶モジュール５０に出力する。
【００１４】
なお、映像処理手段３０は、上述したように複数の回路を有しているが、実行する各信号変換処理方法Ａ，Ｂ，Ｃは既存の処理方法であるので、１チップの既存の３次元ＩＰ処理部（ＩＰ変換部Ａ）を有する映像処理ＩＣを使用することができ、その場合にも、制御部４０からの指令Ｓｃによって複数の変換方法の中から選択された信号変換処理方法を実行する。
【００１５】
液晶モジュール５０は、映像処理手段３０から出力された映像信号Ｖｐを受けて、映像信号Ｖｐに基づく映像を表示する。
【００１６】
次に、動作について説明する。
デジタル放送ユニット２０がデジタル放送信号Ｖｄを受信すると、受信された放送信号Ｖｄをデコードし、映像信号Ｖｒが映像処理手段３０に出力されるとともに、抽出したフォーマット信号Ｓｆや、通知信号Ｓｉが制御部４０に出力される。制御部４０は、デジタル放送ユニット２０から出力されたフォーマット信号Ｓｆにより、受信した映像信号Ｖｒの映像信号フォーマットを判定するとともに、通知信号Ｓｉにより、データ情報が重畳されているか否かを判定する。以下、制御部４０の詳細について説明する。
【００１７】
図２のフローチャートに示すように、はじめに、受信した映像信号Ｖｒの映像信号フォーマット信号Ｓｆからインターレース信号か否かを判定（Ｓ１００）する。インターレース信号の場合、さらに通知信号Ｓｉに基づいて通常放送の映像にデータ情報が重畳されているか否かを判定（Ｓ１１０）し、データ情報が重畳されていない場合は現フィールドのみを使用するＩＰ変換（Ｃ）を行う（Ｓ１２０）ように映像処理手段３０に制御信号Ｓｃを出力する。一方、インターレース信号であって通常放送の映像にデータ情報が重畳されている場合には３次元ＩＰ変換処理（Ｂ）を行う（Ｓ１３０）ように映像処理手段３０に制御信号Ｓｃを出力する。
【００１８】
例えば、映像信号フォーマットがインターレース信号である１０８０ｉで、液晶モジュール５０で表示される表示画面が図３（ａ）、（ｂ）のように通常放送の映像にデータ情報を重畳している場合、デジタル放送ユニット２０から映像信号フォーマットがインターレース信号である１０８０ｉであることを通知するフォーマット信号Ｓｆと、重畳されていることを示すＨｉｇｈレベルの通知信号Ｓｉが制御部４０に出力され、制御部４０は、３次元ＩＰ変換処理（Ｂ）を行うように（Ｓ１３０）制御信号Ｓｃを映像処理手段３０のＩＰ変換部Ａ３２に出力する。これにより、ＩＰ変換部Ａ３２は、動き情報により処理方法を変化させて映像信号フォーマットが１０８０ｐ（プログレッシブ信号）である映像信号Ｖｔをスケーリング部３３に出力する。１０８０ｐの映像領域は横１９２０ドット×縦１０８０ラインなので、１０８０ｐの映像信号Ｖｔを受けたスケーリング部３３は、液晶モジュールの解像度が横１３６６ドット、縦７６８ラインであるとすると、これを横１３６６ドット×縦７６８ラインに縮小して映像信号Ｖｐを出力する。映像信号Ｖｐが入力された液晶モジュール５０では、図３（ａ）、（ｂ）のほとんど静止しているデータ情報の表示領域ではフィールド遅延信号を挿入することにより解像度が高く、しかもフリッカのない表示がなされる。この場合、動画が主体となる通常放送の表示領域の大きさは画面サイズに比べて小さくなり、しかも、視聴者はデータ領域を主に注視することになるので、動きがある部分とない部分での違和感や静止状態からカメラがパンしたときの解像度の低下を感じることはほとんどない。
【００１９】
一方、データ情報を重畳せず、通常放送の映像を画面いっぱいに表示する場合、デジタル放送ユニット２０から制御部４０には、映像信号フォーマットがインターレース信号である１０８０ｉであることを通知するフォーマット信号Ｓｆと、重畳されていないことを示すＬｏｗレベルの通知信号Ｓｉが制御部４０に出力され、制御部４０は、映像処理手段３０に現フィールドのみを使用するＩＰ変換処理（Ｃ）を行うように（Ｓ１２０）制御信号Ｓｃを映像処理手段３０のＩＰ変換部Ａ３２に出力する。これにより、ＩＰ変換部Ａ３２は、現フィールドのみを使用するＩＰ変換をした映像信号Ｖｔをスケーリング部３３に出力する。この場合、映像信号Ｖｔにおける１フィールドの垂直方向の映像範囲は５４０ラインなので、液晶モジュールの解像度が縦７６８ラインの場合、スケーリング部３３は、７６８／５４０＝１．４２の垂直拡大率で拡大した映像信号Ｖｐを出力する。映像信号Ｖｐが入力された液晶モジュール５０では、動き部分と静止部分の境界の違和感や静止状態から動きが入った場合の解像度の低下を感じさせることのない映像表示を行うことができる。また、スケーリング部３３による垂直方向の拡大により、液晶モジュール５０の垂直方向１．４２ライン程度のフリッカしかなく、フリッカのライン数が小さいため、動画の多い通常放送の映像ではフリッカが気にかかることもない。
【００２０】
また、放送信号フォーマットが４８０ｉの場合も１０８０ｉと同様の手順でＩＰ変換方式を選択する。例えば、通常放送の映像にデータ放送等を重畳している場合、３次元ＩＰ変換（Ｂ）が指定される。また、４８０ｉの映像信号Ｖｔにおける１フィールドの垂直方向の映像範囲は２４０ラインなので、液晶モジュールの解像度が縦７６８ラインの場合、スケーリング部３３は、７６８／２４０＝３．２の垂直拡大率で拡大した映像信号Ｖｐを出力する。他は１０８０ｉのときと同様の処理がなされる。
【００２１】
また、放送信号フォーマットが４８０ｐ、７２０ｐ等のプログレッシブ信号の場合、デジタル放送ユニット２０から映像信号フォーマットが４８０ｐ又は７２０ｐであることを通知するフォーマット信号Ｓｆと、通知信号Ｓｉが制御部４０に出力されるが、制御部４０は、フォーマット信号Ｓｆにより映像信号が４８０ｐか７２０ｐであることにより、データ情報が重畳されているか否かに関わらず、映像処理手段３０に変換処理をせず（Ａ）に出力（Ｓ１４０）するように制御信号Ｓｃを映像処理手段３０のＩＰ変換部３２に出力する。これにより、ＩＰ変換部Ａ３２は、映像信号Ｖｒをそのまま映像信号Ｖｔとしてスケーリング部３３に出力する。この場合、スケーリング部３３は、映像信号フォーマットが４８０ｐであるか７２０ｐであるかにより上述したように液晶モジュール５０に適合した拡大率で映像信号Ｖｔを拡大し、液晶モジュール５０に映像信号Ｖｐを出力する。これにより液晶モジュール５０では、解像度が高く違和感やフリッカのない映像を表示することができる。
【００２２】
つまり、インターレース信号が入力されると、通常放送の映像にデータ情報が重畳されているか否かによってデータ情報が重畳されている場合は３次元ＩＰ変換を行い、通常放送の映像のみの場合は、現フィールドのみを使用するＩＰ変換を行うことにより、動画が主体の通常放送のみの映像と、特定の領域に静止画が主体のデータ情報を表示するようにデータ情報が重畳された映像の両者に適した画面表示が可能なデジタル映像表示装置を得ることができる。
【００２３】
特に、静止画部分と動画部分での解像度の差を感じやすい映像信号フォーマットが１０８０ｉのときに、データ放送や番組表等を重畳した映像ではデータや番組表等の情報が高解像度で表示されると共に、通常放送の映像では違和感のない映像を表示できるデジタル映像表示装置を得ることができる。
【００２４】
さらに、通常放送の映像にデータ情報が重畳された映像信号Ｖｒを重畳部から２３から実際に出力したか否かによって重畳されているか否かを通知するようにしたので、重畳すべき指令を受けてからデータ情報を生成し、通常放送の映像に実際にデータ情報が重畳されるまでの間の映像に対しても最適な画面表示を行うことができる。
【００２５】
実施の形態２．
本実施の形態は、インターレース信号の中でも１０８０ｉ信号のときのみ、重畳の有無によって変換方法を変え、他のインターレース信号（４８０ｉ）については、重畳に関係なく３次元ＩＰ変換を行うようにしたものである。他の構成については実施の形態１と同様であるので、説明を省略する。
【００２６】
次に、動作について説明する。
デジタル放送ユニット２０がデジタル放送信号Ｖｄを受信すると、受信された放送信号Ｖｄをデコードし、映像信号Ｖｒが映像処理手段３０に出力されるとともに、抽出したフォーマット信号Ｓｆや、通知信号Ｓｉが制御部４０に出力される。制御部４０は、デジタル放送ユニット２０から出力されたフォーマット信号Ｓｆにより、受信した映像信号Ｖｒの映像信号フォーマットを判定するとともに、通知信号Ｓｉにより、データ情報が重畳されているか否かを判定する。以下、制御部４０の詳細について説明する。
【００２７】
図４のフローチャートに示すように、はじめに、受信した放送信号Ｖｄの映像信号フォーマット信号Ｓｆからインターレース信号か否かを判定（Ｓ１００）する。映像信号フォーマットがインターレース信号の場合、さらに信号が１０８０ｉであるか否かを判定（Ｓ１０５）する。そして、信号が１０８０ｉの場合は、実施の形態１と同様に、さらに通知信号Ｓｉに基づいてデータ情報が通常放送の映像に重畳されているか否かを判定（Ｓ１１０）し、データ情報が重畳されていない場合は現フィールドのみを使用するＩＰ変換（Ｃ）を行（Ｓ１２０）い、データ情報が重畳されている場合には３次元ＩＰ変換処理（Ｂ）を行う（Ｓ１３０）ように映像処理手段３０のＩＰ変換部Ａ３２に制御信号Ｓｃを出力する。
【００２８】
一方、映像信号フォーマットがインターレース信号であっても１０８０ｉ以外（Ｓ１０５）の場合、つまり、４８０ｉである場合、データ情報が重畳されているか否かに関わらず、３次元ＩＰ変換処理（Ｂ）を行う（Ｓ１３０）ように映像処理手段３０に制御信号Ｓｃを出力する。
【００２９】
例えば、放送信号フォーマットが４８０ｉの場合、デジタル放送ユニット２０から映像信号フォーマットが４８０ｉであることを通知するフォーマット信号Ｓｆと、通知信号Ｓｉ重畳信号Ｓｉが制御部４０に出力されるが、制御部４０は、フォーマット信号Ｓｆにより映像信号が１０８０ｉでないことにより、データ情報が重畳されているか否かに関わらず、３次元ＩＰ変換処理（Ｂ）を行うように（Ｓ１３０）制御信号Ｓｃを映像処理装置３０のＩＰ変換部Ａ３２に出力する。これにより、ＩＰ変換部Ａ３２は、動き情報により処理方法を変化させた映像信号Ｖｔをスケーリング部３３に出力する。この場合、映像信号Ｖｔにおける１フィールドの垂直方向の映像範囲は２４０ラインなので、液晶モジュールの解像度が縦７６８ラインの場合、スケーリング部３３は、７６８／２４０＝３．２の垂直拡大率で拡大した映像信号Ｖｐを出力する。スケーリング部３３による垂直方向の拡大により、液晶モジュール５０の垂直方向３．２ラインのフリッカとなり、フリッカのライン数が多いため、データ情報が重畳されているか否かに関わらず、動き情報により３次元ＩＰ変換を実施することで、静止部分にフリッカの少ない表示で視聴することが可能となる。しかも、もともとのライン数が少ない映像信号Ｖｔを拡大しているので、静止部分の解像度と動きのある部分での解像度の差がつき難く、違和感を生じさせることはほとんどない。
【００３０】
本実施の形態２では、垂直解像度が高く、フリッカの目立ち難い１０８０ｉのときのみ、重畳の有無によって変換方法を変え、静止画部分と動画部分での解像度の差がつき難い映像信号フォーマットが４８０ｉ信号のときには、重畳の有無に関わらず、３次元ＩＰ変換をするようにした。そのため、１０８０ｉ信号では、映像信号にデータ放送等が重畳されているか否かによって変換方法を切り替えて、データ放送や番組表等を重畳した映像と、通常放送の映像の両者に最適な映像が表示できる。さらに、４８０ｉ信号では、変換方法が途中で切り替わることがないので、画面表示状態が安定し、しかも、両者に最適な映像が表示できる映像表示装置が得られる。
【００３１】
実施の形態３．
本実施の形態３においては、データ情報の表示領域と通常放送の表示領域の表示割合を算出し、その表示割合によってデータ情報が重畳されているか否かを通知するようにしたものである。他の構成については実施の形態１と同様であり、説明を省略する。
【００３２】
図５は、本実施の形態における画面表示を示すイメージ図であり、図中、左上側の部分が、通常放送の表示領域の位置及び範囲を示す。映像信号フォーマットが１０８０ｉで、液晶モジュール５０で表示される表示画面が図５に示すように数種のデータ情報を重畳している場合、デジタル放送ユニット２０の重畳手段（スケーリング部２２、重畳部２３、ユニット制御部２１）では、通常放送の映像にデータ情報を重畳するとともに、通常放送の表示領域の表示画面全体に対する表示割合を算出する。図５のような画面構成の場合、表示領域の大きさは横９６０×縦５４０で、通常放送の表示領域の位置及び範囲は表示領域左上からの水平開始ドット位置Ｐｈ１、垂直開始ドット位置Ｐｖ１、水平終了位置Ｐｈ２、垂直開始位置Ｐｖ２によって規定される。ここで、１０８０ｉにおける１フィールドのデータの実際の大きさは横１９２０×縦５４０なので、デジタル放送ユニット２０では、データを水平方向に２倍拡大して出力している。これらは、ユニット制御部２１がスケーリング部２２や重畳部２３を制御することにより実行される。
【００３３】
このとき重畳部２３では、重畳手段として上記制御を行うのと同時に、通知手段として表示画面全体に占める通常放送の表示領域の割合を算出する。例えば、通常放送の表示領域の大きさが横９６０×縦２７０（実際の水平方向の指定は１／２）と指定されている場合は、放送動画の１フィールド横１９２０×縦５４０を横９６０×縦２７０に縮小して、指定された位置に合わせて出力することになり、通常放送の表示領域は、表示画面全体の２５％となる。ここで、閾値を５０％とし、通常放送の表示領域が表示画面全体に占める割合が閾値以上の時は重畳なし、閾値未満の時は重畳ありと規定しておく。すると、算出された通常放送の表示領域の表示画面全体に占める割合が５０％以上の時は通知信号ＳｉをＬｏｗ、５０％未満の時はＨｉｇｈレベルの通知信号Ｓｉを出力することになる。つまり、通常放送の表示割合が２５％のときは、閾値未満なので、デジタル放送ユニット２０は、通常放送の映像にデータ情報が重畳されているとの通知信号Ｓｉを制御部４０に出力し、制御部４０はデータ情報が重畳されているものとして変換処理をするよう映像処理手段３０を制御する。一方、データ情報が重畳されている場合でも、通常放送の表示領域が５０％以上のときは、Ｌｏｗレベルの通知信号Ｓｉが出力されるので、制御部４０はデータ等が重畳されていないものとして映像処理手段１０を制御する。
【００３４】
このように、通知手段に、通常放送の表示領域の表示画面全体に対する表示割合を算出する機能を持たせ、算出した表示割合と閾値とを比較し、表示割合が閾値以上の場合は通常放送の映像にデータ情報が重畳されていないことを示す通知信号Ｓｉを出力し、表示割合が閾値未満の場合は通常放送の映像にデータ情報が重畳されていることを示す通知信号Ｓｉを出力するようにした。そのため、実質的に視聴者が見る表示画面の状態に適した変換方式を選択し、データ放送や番組表等のデータ情報を重視した映像、及び通常放送の表示を重視する映像の両者に適した映像を表示できるデジタル映像表示装置を得ることができる。
【００３５】
実施の形態４．
図６、７は、本発明の実施の形態４におけるデジタル映像表示装置を示したもので、図６はその構成を示すブロック図、図７はその動作を示すフローチャートである。図において、液晶テレビ１１０は、デジタル放送ユニット２０と、映像処理手段１３０と、制御部１４０と、液晶モジュール５０とを備えている。そして、本実施の形態４の液晶テレビ１１０は、実施の形態１で示した３次元ＩＰ変換処理が可能なＩＰ変換部Ａ３２に代えて、３次元ＩＰ変換処理機能を有しないＩＰ変換部Ｂ１３２を搭載した映像処理手段１３０を使用している。そこで、動き情報によるＩＰ変換（３次元ＩＰ変換）ができない回路構成の液晶テレビ１１０でもデータ情報の重畳がある映像と通常放送の映像のみの両者に適した画面表示ができるように、制御部１４０は制御方法を変更する。基本的には、実施の形態１と同様にフォーマット信号Ｓｆだけではなく、通知信号Ｓｉによって変換処理方法を決定する。他の構成については実施の形態１と同様であり、説明を省略する。
【００３６】
ＩＰ変換部Ｂ１３２は、動き情報のように時間を伴う情報を使用せず、現フィールドのみを使用して、デジタル放送ユニット２０から受けた映像信号Ｖｒをインターレース／プログレッシブ変換し、変換した映像信号Ｖｔをスケーリング部１３３に出力（Ｄ）する、又は受信した信号をそのまま出力する（Ｅ）という２つの変換方法を有している。
【００３７】
制御部１４０は、デジタル放送ユニット２０に対し、フォーマット信号Ｓｆや通知信号Ｓｉを出力するように要求する要求信号Ｓｄを出力するとともに、出力されたフォーマット信号Ｓｆ及び通知信号Ｓｉに基づいて、信号の処理方法を指示する制御信号Ｓｃを映像処理手段１３０に出力する。
【００３８】
次に、動作について説明する。
制御部１４０は、デジタル放送ユニット２０から出力されたフォーマット信号Ｓｆにより、受信した映像信号Ｖｒの映像信号フォーマットを判定するとともに、通知信号Ｓｉにより、データ等が重畳されているか否かを判定する。
【００３９】
制御部１４０は、図７のフローチャートに示すように、はじめに、受信した映像信号Ｖｒの映像信号フォーマットがインターレース信号か否かを判定（Ｓ２００）する。インターレース信号の場合、さらに通知信号Ｓｉに基づいてデータが重畳されているか否かを判定（Ｓ２１０）し、データが重畳されていない場合は現フィールドのみを使用するＩＰ変換（Ｄ）を行う（Ｓ２２０）ように映像処理手段１３０のＩＰ変換部Ｂ１３２に制御信号Ｓｃを出力する。一方、インターレース信号であってデータが重畳されている場合にはＩＰ変換をせず、映像信号Ｖｒをそのまま映像信号Ｖｔとして出力（Ｅ）する（Ｓ２３０）ように映像処理手段１３０のＩＰ変換部Ｂ１３２に制御信号Ｓｃを出力する。
【００４０】
一方、インターレース信号以外の場合、現状の放送信号では映像信号フォーマットは４８０ｐ、７２０ｐ等のプログレッシブ信号であるので、ＩＰ変換をせず、映像信号Ｖｒをそのまま映像信号Ｖｔとして出力（Ｅ）する（Ｓ２３０）ように映像処理手段１３０のＩＰ変換部Ｂ１３２に制御信号Ｓｃを出力する。
【００４１】
例えば、映像信号フォーマットが１０８０ｉで、液晶モジュール５０で表示される表示画面にデータ情報を重畳している場合、デジタル放送ユニット２０から制御部１４０には、映像信号フォーマットがインターレース信号である１０８０ｉであることを通知するフォーマット信号Ｓｆと、重畳されていることを示すＨｉｇｈレベルの通知信号Ｓｉが出力され、制御部１４０は、映像処理手段１３０にＩＰ変換をしない（Ｅ）（Ｓ２３０）ように制御信号Ｓｃを出力する。前述したように、１０８０ｉ受信時のデータ放送の大きさは横９６０×縦５４０である。１０８０ｉにおける実際の１フィールドの映像は横１９２０×縦５４０なので、デジタル放送ユニット２０はデータ放送を水平方向に２倍拡大して出力している。また、インターレースの第１フィールドと第２フィールドには同じデータを出力している。よって、ＩＰ変換処理されなくとも、データ情報の領域はフリッカのない表示が得られる。このとき、デジタル放送ユニット２０からの映像出力時点で通常放送の表示領域の垂直方向拡大率＝２７０ライン／５４０ライン＝０．５となる。液晶モジュール５０が実施の形態１と同様に垂直解像度が７６８ラインの場合、通常放送の表示領域の最終的な垂直方向の拡大率は、７６８／５４０に上記垂直方向拡大率０．５を乗じた０．７１となる。つまり、通常放送の表示領域も、映像の片フィールドが垂直方向にずれて表示されるが、通常放送の表示領域は０．７１ライン分に縮小されて表示されることになるので、片フィールドのずれは小さく、視認上の問題はない。
【００４２】
一方、データ情報を重畳せず、通常放送の映像を画面いっぱいに表示する場合、デジタル放送ユニット２０から制御部１４０には、映像信号フォーマットが１０８０ｉであることを通知するフォーマット信号Ｓｆと、重畳されていないことを示すＬｏｗレベルの通知信号Ｓｉが出力され、制御部１４０は、映像処理手段１３０に現フィールドのみを使用する２次元ＩＰ変換処理を行う（Ｄ）ように（Ｓ２２０）制御信号Ｓｃを出力する。これにより、２次元ＩＰ処理部１３２は、現フィールドのみを使用するＩＰ変換をした映像信号Ｖｔをスケーリング部１３３に出力する。
【００４３】
また、放送信号フォーマットが４８０ｉの場合も、１０８０ｉの時と同様に重畳の有無によって選択した変換方法により信号変換を行う。
【００４４】
また、放送信号フォーマットが４８０ｐ、７２０ｐ等のプログレッシブ信号の場合、デジタル放送ユニット２０から制御部１４０には、映像信号フォーマットが４８０ｐ又は７２０ｐであることを通知するフォーマット信号Ｓｆと、通知信号Ｓｉが出力される。制御部１４０は、フォーマット信号Ｓｆにより映像信号が４８０ｐか７２０ｐであることにより、データ情報が重畳されているか否かに関わらず、映像処理手段１３０に変換処理をせずに出力（Ｅ）（Ｓ２２０）するように制御信号Ｓｃを出力する。これにより、ＩＰ変換部Ｂ１３２は、映像信号Ｖｒをそのまま映像信号Ｖｔとしてスケーリング部３３に出力する。この場合、スケーリング部１３３は、映像信号フォーマットが４８０ｐであるか７２０ｐであるかにより上述したように液晶モジュール５０に適合した拡大率で映像信号Ｖｔを拡大し、液晶モジュール５０に映像信号Ｖｐを出力する。
【００４５】
つまり、動き情報による３次元ＩＰ変換機能のないＩＰ変換部Ｂを備えた液晶テレビにおいても、動画が主体の通常放送の映像と、静止画が主体のデータ情報を重畳させる映像では、好適な映像が得られる変換方法が異なる場合がある。そのため、本実施の形態４のように、インターレース信号による通常放送の映像にデータ情報が重畳されているか否かを通知する通知手段から通知された情報に基づいて、データ情報が重畳されている場合は信号変換処理を行わず、通常放送の映像のみの場合は、現フィールドのみを使用するＩＰ変換を用いて信号処理を行うことにより、動画が主体の通常放送のみの映像と、特定の領域に静止画が主体のデータ情報を表示するようにデータ情報が重畳された映像の両者に適した画面表示が可能なデジタル映像表示装置を得ることができる。もちろん、重畳か否かを実施の形態３に示すように通常放送の表示領域の割合によって定めてもよい。
【００４６】
実施の形態５．
本実施の形態は、インターレース信号の中でも１０８０ｉのときのみ重畳の有無によって変換方法を変え、１０８０ｉ以外、つまり４８０ｉについては、重畳に関係なく現フィールドのみを使用するＩＰ変換（Ｄ）を行うようにしたものである。他の構成については実施の形態４と同様であるので、説明を省略する。
【００４７】
制御部１４０は、図８のフローチャートに示すように、はじめに、受信した映像信号Ｖｒの映像信号フォーマットがインターレース信号か否かを判定（Ｓ２００）する。インターレース信号の場合、さらに信号が１０８０ｉであるか否かを判定（Ｓ２０５）する。そして、信号が１０８０ｉの場合は、実施の形態４と同様に、さらに通知信号Ｓｉに基づいてデータ情報が通常放送の映像に重畳されているか否かを判定（Ｓ２１０）し、データ情報が重畳されていない場合は現フィールドのみを使用するＩＰ変換（Ｄ）を行い（Ｓ２２０）、データ情報が重畳されている場合にはＩＰ変換処理せずに信号出力（Ｅ）を行う（Ｓ２３０）ように映像処理手段１３０に制御信号Ｓｃを出力する。
【００４８】
一方、映像信号フォーマットがインターレース信号であっても１０８０ｉ以外（Ｓ２０５）の場合、つまり、４８０ｉである場合、データ情報が重畳されているか否かに関わらず、現フィールドのみを使用するＩＰ変換処理（Ｄ）を行う（Ｓ２２０）ように映像処理手段１３０に制御信号Ｓｃを出力する。
【００４９】
例えば、放送信号フォーマットが４８０ｉの場合、デジタル放送ユニット２０から制御部１４０には、映像信号フォーマットが４８０ｉであることを通知するフォーマット信号Ｓｆと、通知信号Ｓｉが出力される。制御部１４０は、フォーマット信号Ｓｆにより映像信号が１０８０ｉでないことにより、データ情報が重畳されているか否かに関わらず、映像処理手段１３０に現フィールドのみを使用する２次元ＩＰ変換処理を行う（Ｄ）ように（Ｓ２２０）制御信号Ｓｃを出力する。これは、４８０ｉのライン数が１０８０ｉのときと比較して少ないので、ＩＰ変換処理を行わないと、片フィールドのずれが大きく表示されることになるので、重畳に関係なく２次元ＩＰ処理をする。
【００５０】
本実施の形態５では、垂直方向のライン数が少なく、ＩＰ変換処理を行わないと片フィールドのすれが大きく表示されてしまう映像信号フォーマットが４８０ｉ信号のときに、通常放送の映像にデータ情報が重畳されているか否かに関わらず、現フィールドのみを使用するＩＰ変換をするようにした。そのため、１０８０ｉ信号では、映像信号にデータ放送等が重畳されているか否かによって変換方法を切り替えて、データ放送や番組表等を重畳した映像と、通常放送の映像の両者に最適な映像が表示できる。さらに、４８０ｉ信号では、２次元ＩＰ処理のみを用いることによりフィールドのずれない最適な映像が表示できる映像表示装置が得られる。
【００５１】
なお、上記各実施の形態１〜５では、通知信号Ｓｉをフォーマット信号Ｓｆと別の信号として扱ったが、両方の信号を他の制御信号内に組み込み、ひとつの信号にまとめることも可能である。例えば、デジタルユニット２１から制御部４０（１４０）に送信する信号をＳｄとする。放送信号フォーマットの情報の送信番号を００と取り決める。そして、４８０ｉを００、４８０ｐを０１、１０８０ｉを０２、７２０ｐを０３と取り決める。信号Ｓｄで００の次に００を送信すれば４８０ｉ、００の次に０２を送信すれば１０８０ｉの放送信号フォーマットであることを制御部４０（１４０）が認識できる。同様に、重畳に関する情報の送信番号を０２と取り決め、重畳ありを００、重畳なしを０１と取り決める。信号Ｓｄで０２の次に００を送信すれば重畳あり、０２の次に０１を送信すれば重畳なしであることを制御部４０（１４０）が認識できる。
【００５２】
また、上記各実施の形態１〜５では、解像度が横１３６６ドット×縦７６８ラインの液晶モジュール５０について説明したが、これに限定することなく、横１９２０ドット×縦１０８０ラインの液晶モジュールなどにも広く適応可能である。
【００５３】
さらに、この発明は液晶モジュールに限らず、ＰＤＰ（Plasma Display Panel）、ＥＬ（Electro Luminescence Display）などのデジタル映像表示装置に広く適応可能である。
【図面の簡単な説明】
【００５４】
【図１】この発明の実施の形態１によるデジタル映像表示装置の構成を示すブロック図である。
【図２】この発明の実施の形態１によるデジタル映像表示装置の動作を示すフローチャートである。
【図３】この発明の実施の形態１によるデジタル映像表示装置の画面表示を示すイメージ図である。
【図４】この発明の実施の形態２によるデジタル映像表示装置の動作を示すフローチャートである。
【図５】この発明の実施の形態３によるデジタル映像表示装置の画面表示を示すイメージ図である。
【図６】この発明の実施の形態４によるデジタル映像表示装置の構成を示すブロック図である。
【図７】この発明の実施の形態４によるデジタル映像表示装置の動作を示すフローチャートである。
【図８】この発明の実施の形態５によるデジタル映像表示装置の動作を示すフローチャートである。
【符号の説明】
【００５５】
１０，１１０  映像表示装置、  ２０  デジタル放送ユニット、  ２１  ユニット制御部、  ２２  スケーリング部、２３  重畳部、  ３０，１３０  映像処理手段、  ３２  ＩＰ変換部Ａ、１３２  ＩＰ変換部Ｂ、  ３３，１３３  スケーリング部、  ４０，１４０  制御部、  ５０  液晶モジュール
【図１】
2008199187.tif 000003
【図２】
2008199187.tif 000004
【図３】
2008199187.tif 000005
【図４】
2008199187.tif 000006
【図５】
2008199187.tif 000007
【図６】
2008199187.tif 000008
【図７】
2008199187.tif 000009
【図８】
2008199187.tif 000010